(57)【要約】【課題】外装材、胴縁、防水シート、額縁等を可及的に解体することなく、手間を少なくして、工期の短縮化を図るとともに、費用を低減し、かつ窓の開口面積を小さくすることのないサッシ枠の交換方法とその構造を提供する。【解決手段】室外側より切断工具をもって外鍔３を切断する工程と、外鍔３を切断した既存サッシ枠１を取外す工程と、新規サッシ枠１４を取付ける工程とを具備してなるサッシ枠の交換方法であって、開口部内方より、内鍔４も切断し、外鍔３と内鍔４が切断された既存サッシ枠１を取外した後に、内鍔４を固定しているビス１５ｂを切断し、内鍔４を取外した後に、新規サッシ枠１４を室外側から開口部内に取付ける。【選択図】  図２
2013227797.tif 000002
【特許請求の範囲】
【請求項１】
建物の外壁本体の開口部に取付けられ、前記外壁本体の室外側の側面に固定された外鍔と、前記開口部の内周面に固定された内鍔とを備えた既存サッシ枠を新規サッシ枠に交換する方法において、
ａ）室外側より切断工具をもって、既存サッシ枠の外鍔を切断する工程と、
ｂ）外鍔を切断した既存サッシ枠を取外す工程と、
ｃ）新規サッシ枠を外壁本体に取付ける工程と、
を具備してなることを特徴とするサッシ枠の交換方法。
【請求項２】
「ｃ）新規サッシ枠を外壁本体に取付ける工程」よりも前に、外壁本体の開口部の内方より切断工具をもって、既存サッシ枠の内鍔を切断する工程を有し、外鍔を切断した既存サッシ枠を取外す工程においては、外鍔と内鍔を切断した既存サッシ枠を取外すことを特徴とする請求項１記載のサッシ枠の交換方法。
【請求項３】
外鍔と内鍔を切断した既存サッシ枠を取外した後に、内鍔を外壁本体の開口部内周面に固定しているビスを切断し、内鍔を取外すとの工程を有することを特徴とする請求項２記載のサッシ枠の交換方法。
【請求項４】
「ｃ）新規サッシ枠を外壁本体に取付ける工程」において、既存サッシ枠の切断した外鍔を外壁本体の室外側の側面に残存させた状態で、新規サッシ枠を外壁本体に取付けることを特徴とする請求項１〜３のいずれかに記載のサッシ枠の交換方法。
【請求項５】
「ｃ）新規サッシ枠を外壁本体に取付ける工程」の前に、切断された外鍔を外壁本体の室外側の側面に固定しているビスを切断し、外鍔を取外すとの工程を有することを特徴とする請求項１〜３のいずれかに記載のサッシ枠の交換方法。
【請求項６】
「ｃ）新規サッシ枠を外壁本体に取付ける工程」において、外壁本体の開口部における室内側の内周面に取付けられている額縁を取外すことなく、新規サッシ枠の内鍔を、取外した既存サッシ枠の内鍔が配設されていた、額縁と外壁本体の開口部の内周面との間の空間内に室外側から嵌挿させて、新規サッシ枠を外壁本体に取付けることを特徴とする請求項１〜５のいずれかに記載のサッシ枠の交換方法。
【請求項７】
「ｃ）新規サッシ枠を外壁本体に取付ける工程」において、新規サッシ枠の内鍔を、取外した既存サッシ枠の内鍔が配設されていた、額縁と外壁本体の開口部の内周面との間の空間内に室外側から嵌挿させるとともに、前記新規サッシ枠の外鍔を、外壁本体の室外側の側面に残存させた既存サッシ枠の切断された外鍔の室外側に配設し、かつ前記新規サッシ枠の内鍔を除く室内側の側面と、前記額縁の室外側の側面との間に生じる間隙を利用して、新規サッシ枠の内鍔を、ビスをもって外壁本体の開口部内に固定するとともに前記間隙を化粧アングル材をもって閉塞し、さらに新規サッシ枠の外鍔をビスをもって固定することにより、新規サッシ枠を外壁本体に取付けることを特徴とする請求項６記載のサッシ枠の交換方法。
【請求項８】
「ｃ）新規サッシ枠を外壁本体に取付ける工程」において、外壁本体の室外側の側面に残存させた既存サッシ枠の切断された外鍔を取外すとともに、外壁本体の開口部における室内側の内周面に取付けられている額縁の室外側端部を切断工具をもって切除し、その後、新規サッシ枠の内鍔を、取外した既存サッシ枠の内鍔が配設されていた、額縁と外壁本体の開口部の内周面との間の空間内に室外側から嵌挿させ、かつ新規サッシ枠の内鍔を除く室内側の側面と、前記額縁の室外側の側面との間に生じる間隙を利用して、新規サッシ枠の内鍔を、ビスをもって外壁本体の開口部内に固定するとともに前記間隙を化粧アングル材をもって閉塞し、さらに新規サッシ枠の外鍔をビスをもって固定することにより、新規サッシ枠を外壁本体に取付けることを特徴とする請求項６記載のサッシ枠の交換方法。
【請求項９】
「ｃ）新規サッシ枠を外壁本体に取付ける工程」において、外壁本体の室外側の側面に残存させた既存サッシ枠の切断された外鍔を取外すとともに、外壁本体の開口部における室内側の内周面に取付けられている額縁を取外し、新規サッシ枠を、その内鍔、外鍔をそれぞれビスをもって固定することにより、外壁本体の開口部に取付け、かつ再度、額縁を取付けることを特徴とする請求項１〜５のいずれかに記載のサッシ枠の交換方法。
【請求項１０】
「ａ）室外側より切断工具をもって外鍔を切断する工程」の前に、外壁本体の室外側に胴縁を介して設けられている外装材の一部の切除または前記外装材と既存サッシ枠との間に設けられているシーリング材の除去を行う工程を有することを特徴とする請求項１〜９のいずれかに記載のサッシ枠の交換方法。
【請求項１１】
新規サッシ枠の外鍔を、外壁本体の室外側の側面に残存させた既存サッシ枠の切断された外鍔の室外側に配設して、新規サッシ枠を外壁本体に取付けたことを特徴とするサッシ枠の取付構造。
【請求項１２】
新規サッシ枠の内鍔を外壁本体の開口部の内周面に固定するビスを、新規サッシ枠の内鍔を除く室内側の側面と、前記外壁本体の開口部における室内側の内周面に取付けられている額縁の室外側の側面との間に生じる間隙内に配設するとともに、前記間隙を化粧アングル材をもって閉塞して、新規サッシ枠を外壁本体に取付けたことを特徴とする請求項１１記載のサッシ枠の取付構造。
【発明の詳細な説明】
【技術分野】
【０００１】
本発明は、住宅や事務所等の建物の開口部に取付けられるサッシ枠の交換方法およびその取付構造に関する。
【背景技術】
【０００２】
建物のリフォームや改築時に、外壁本体の開口部に取付けられている既存サッシを新規サッシに交換することは、しばしばみられる。この場合、既存サッシ枠を新規サッシ枠に交換する従来の一般的な方法は、外壁本体の室外側に胴縁を介して取付けられている外装材や必要に応じて取付けられている透湿防水シートならびに外壁本体の開口部における室内側の内周面にスペーサを介して取付けられている額縁等をすべて解体し、既存サッシ枠を撤去し、新規サッシ枠を取付けた後に、再度、復旧させる工法を採用している。しかし、この方法では、工事が大規模となり、多くの労力や手間を必要とするため、工期が長くなるばかりでなく、多くの費用を要するという問題があった。
【０００３】
このためサッシ周りの内装壁や開口枠等を解体することなく、既存サッシを新規サッシに短期間で交換する方法が提供されている。たとえば、特許文献１では、既存開口枠と既存サッシ周囲の外壁構造を残存させたまま既存サッシを撤去し、新規開口枠を既存開口枠に重ね合わせて貼付し、既存サッシに比べ開口枠取付片の内法寸法が小さな新規サッシを、残存した外壁構造に取付けるサッシの交換方法が開示されている。
【０００４】
また、特許文献２では、既存サッシ枠を撤去せずに新規サッシ枠を設置するために、既存サッシ枠に固定される固定部を備えるリフォーム用のサッシ枠が開示されている。
【先行技術文献】
【特許文献】
【０００５】
【特許文献１】特開２０１０−２４６８３号公報
【特許文献２】特開２００１−８２０３１号公報
【発明の概要】
【発明が解決しようとする課題】
【０００６】
特許文献１および２に開示されるものは、いずれも工期が短縮され、費用もある程度、低減されるものの、窓としての開口面積が小さくなるという問題がある。
このため本発明は、外装材、胴縁、透湿防水シート、額縁等を可及的に解体することなく、労力や手間を少なくして、工期の短縮化を図るとともに、費用を低減し、かつ窓としての開口面積を小さくすることのないサッシ枠の交換方法およびその取付構造を提供することを目的とする。
【課題を解決するための手段】
【０００７】
上記課題は、次のような構成からなる発明によって解決される。
（１）建物の外壁本体の開口部に取付けられ、前記外壁本体の室外側の側面に固定された外鍔と、前記開口部の内周面に固定された内鍔とを備えた既存サッシ枠を新規サッシ枠に交換する方法において、
ａ）室外側より切断工具をもって、既存サッシ枠の外鍔を切断する工程と、
ｂ）外鍔を切断した既存サッシ枠を取外す工程と、
ｃ）新規サッシ枠を外壁本体に取付ける工程と、
を具備してなることを特徴とするサッシ枠の交換方法とする。
【０００８】
このような構成にすれば、室外側より切断工具をもって外鍔を切断することにより、外装材、胴縁、透湿防水シート、額縁等のサッシ周りの構造体を可及的に解体することなく、外鍔を切断した既存サッシ枠を容易に取外すことができる。
すなわち、室外側より切断工具をもって外鍔を切断するためには、単に切断工具を通す程度の狭小な間隙が存在すればよく、そのためには、たとえば外装材の端部と既存サッシ枠間を閉塞しているシーリング材を除去するか、またはこれに加えて外装材の端部をわずかに切除することにより形成された間隙を利用して、室外側より切断工具を既存サッシ枠の外鍔に向けてすすめ、外鍔を切断することができるため、サッシ周りの構造体を解体する必要がない。
このため前記した従来のサッシ周りを解体して行うサッシ枠の交換方法と対比して、労力や手間を大幅に少なくして、工期の短縮化を図ることができるとともに、費用を低減することができる。さらに、外鍔を切断した既存サッシ枠を取外した後に、新規サッシ枠を取付けるために、窓としての開口面積が小さくなることもない。
【０００９】
（２）上記（１）項において、「ｃ）新規サッシ枠を外壁本体に取付ける工程」よりも前に、外壁本体の開口部の内方より切断工具をもって、既存サッシ枠の内鍔を切断する工程を有し、外鍔を切断した既存サッシ枠を取外す工程においては、外鍔と内鍔を切断した既存サッシ枠を取外すようにする。
【００１０】
このような構成にすれば、内鍔を切断することにより、外鍔と内鍔を切断した既存サッシ枠を容易に取外すことができる。
また内鍔を切断する作業は、サッシ周りの構造体を何ら解体することなく、外壁本体の開口部の内方より、容易に行うことができる。
【００１１】
（３）上記（２）項において、外鍔と内鍔を切断した既存サッシ枠を取外した後に、内鍔を外壁本体の開口部内周面に固定しているビスを切断し、内鍔を取外すとの工程を有するようにする。
【００１２】
このような構成にすれば、外鍔と内鍔を切断した既存サッシ枠を取外すことにより、室外側から切断工具をもって、内鍔を開口部の内周面に固定しているビスを容易に切断することができ、その切断により、内鍔を室外側に移動させることにより、額縁を取外すことなく、内鍔を容易に取外すことができる。
【００１３】
（４）上記（１）〜（３）項のいずれかにおいて、「ｃ）新規サッシ枠を外壁本体に取付ける工程」において、既存サッシ枠の切断した外鍔を外壁本体の室外側の側面に残存させた状態で、新規サッシ枠を外壁本体に取付けるようにする。
【００１４】
このような構成にすれば、既存サッシ枠の外鍔を外壁本体の室外側の側面に残存させた状態で、新規サッシ枠を外壁本体に取付けるため、前記外鍔を取外す手段が省けるとともに、この外鍔の室外側に配設されている、例えば防水シートや防水テープ等を取外す必要がない。
【００１５】
（５）上記（１）〜（３）項のいずれかにおいて、「ｃ）新規サッシ枠を外壁本体に取付ける工程」の前に、切断された外鍔を外壁本体の室外側の側面に固定しているビスを切断し、外鍔を取外すとの工程を有するようにする。
【００１６】
このような構成にすれば、外鍔、または外鍔と内鍔を切断した既存サッシ枠を取外した後は、外壁本体の開口部の内方より、切断工具をもって外鍔を外壁本体の室外側の側面に固定しているビスを切断することは容易であるとともに、前記ビスの切断により容易に外鍔を取外すことができる。
【００１７】
（６）上記（１）〜（５）項のいずれかにおいて、「ｃ）新規サッシ枠を外壁本体に取付ける工程」において、外壁本体の開口部における室内側の内周面に取付けられている額縁を取外すことなく、新規サッシ枠の内鍔を、取外した既存サッシ枠の内鍔が配設されていた、額縁と外壁本体の開口部の内周面との間の空間内に室外側から嵌挿させて、新規サッシ枠を外壁本体に取付けるようにする。
【００１８】
このような構成にすれば、既存サッシ枠の内鍔を取外すことによって、額縁を取外すことなく新規サッシ枠を容易に取付けることができるとともに、額縁を取外すことなく新規サッシ枠を外壁本体に取付けることにより、手数を低減することができる。
【００１９】
（７）上記（６）項において、「ｃ）新規サッシ枠を外壁本体に取付ける工程」において、新規サッシ枠の内鍔を、取外した既存サッシ枠の内鍔が配設されていた、額縁と外壁本体の開口部の内周面との間の空間内に室外側から嵌挿させるとともに、前記新規サッシ枠の外鍔を、外壁本体の室外側の側面に残存させた既存サッシ枠の切断された外鍔の室外側に配設し、かつ前記新規サッシ枠の内鍔を除く室内側の側面と、前記額縁の室外側の側面との間に生じる間隙を利用して、新規サッシ枠の内鍔を、ビスをもって外壁本体の開口部内に固定するとともに前記間隙を化粧アングル材をもって閉塞し、さらに新規サッシ枠の外鍔をビスをもって固定することにより、新規サッシ枠を外壁本体に取付けるようにする。
【００２０】
このような構成にすれば、新規サッシ枠の外鍔を、既存サッシ枠の切断された外鍔の室外側に配設してビスをもって固定することにより、既存サッシ枠の外鍔を取外す必要がなくなるとともに、これにより必然的に新規サッシ枠の内鍔を除く室内側の側面と、額縁の室外側の側面との間に間隙が生じ、この間隙を利用して、新規サッシ枠の内鍔を、ビスをもって外壁本体の開口部内に固定することができる。
【００２１】
（８）上記（６）項において、「ｃ）新規サッシ枠を外壁本体に取付ける工程」において、外壁本体の室外側の側面に残存させた既存サッシ枠の切断された外鍔を取外すとともに、外壁本体の開口部における室内側の内周面に取付けられている額縁の室外側端部を切断工具をもって切除し、その後、新規サッシ枠の内鍔を、取外した既存サッシ枠の内鍔が配設されていた、額縁と外壁本体の開口部の内周面との間の空間内に室外側から嵌挿させ、かつ新規サッシ枠の内鍔を除く室内側の側面と、前記額縁の室外側の側面との間に生じる間隙を利用して、新規サッシ枠の内鍔を、ビスをもって外壁本体の開口部内に固定するとともに前記間隙を化粧アングル材をもって閉塞し、さらに新規サッシ枠の外鍔をビスをもって固定することにより、新規サッシ枠を外壁本体に取付けるようにする。
【００２２】
このような構成にすれば、額縁の室外側の端部を切除することにより、既存サッシ枠の切断された外鍔を取外した後に、新規サッシ枠の内鍔を、取外した既存サッシ枠の内鍔が配設されていた、額縁と外壁本体の開口部の内周面との間の空間内に室外側から嵌挿させた場合にも、新規サッシ枠の内鍔を除く室内側の側面と、額縁の室外側の側面との間に間隙が生じるため、この間隙を利用して、新規サッシ枠の内鍔を、ビスをもって外壁本体の開口部内に固定することができる。また、前記間隙が化粧アングル材をもって閉塞されるため見栄えがよい。
【００２３】
（９）上記（１）〜（５）項のいずれかにおいて、「ｃ）新規サッシ枠を外壁本体に取付ける工程」において、外壁本体の室外側の側面に残存させた既存サッシ枠の切断された外鍔を取外すとともに、外壁本体の開口部における室内側の内周面に取付けられている額縁を取外し、新規サッシ枠を、その内鍔、外鍔をそれぞれビスをもって固定することにより、外壁本体の開口部に取付け、かつ再度、額縁を取付けるようにする。
【００２４】
このような構成にすれば、既存サッシ枠の切断された外鍔を取外す場合に、外鍔が切断された既存サッシ枠を取外すことにより、外鍔を固定しているビスを、外壁本体の開口部の内方より、切断工具をもって容易に切断することができるため、前記外鍔を簡単に取外すことができ、その後、新規サッシ枠を容易に取付けることができる。
【００２５】
（１０）上記（１）〜（９）項のいずれかにおいて、「ａ）室外側より切断工具をもって外鍔を切断する工程」の前に、外壁本体の室外側に胴縁を介して設けられている外装材の一部の切除または前記外装材と既存サッシ枠との間に設けられているシーリング材の除去を行う工程を有するようにする。
【００２６】
このような構成にすれば、外装材の一部または前記外装材と既存サッシ枠との間に設けられているシーリング材の除去を行うことにより、室外側より切断工具をもって、既存サッシ枠の外鍔を切断する作業がし易くなる。また切断した外鍔を取外す場合や、新規サッシ枠を取付ける際の作業も容易となる。
【００２７】
（１１）新規サッシ枠の外鍔を、外壁本体の室外側の側面に残存させた既存サッシ枠の切断された外鍔の室外側に配設して、新規サッシ枠を外壁本体に取付けたことを特徴とするサッシ枠の取付構造とする。
【００２８】
このような構成にすれば、新規サッシ枠の外鍔を、既存サッシ枠の切断された外鍔の室外側に配設して固定することにより、既存サッシ枠の外鍔を取外す必要がなくなるとともに、これにより必然的に新規サッシ枠の内鍔を除く室内側の側面と、額縁の室外側の側面との間に間隙が生じ、この間隙を利用して、新規サッシ枠の内鍔を、ビスをもって外壁本体の開口部内に固定することができる。
したがって、新規サッシ枠を取付けるための額縁の取外しが不要となり、手数の低減と作業の効率向上により、工期の短縮化と費用の低減を図ることができる。
【００２９】
（１２）上記（１１）項において、新規サッシ枠の内鍔を外壁本体の開口部の内周面に固定するビスを、新規サッシ枠の内鍔を除く室内側の側面と、前記外壁本体の開口部における室内側の内周面に取付けられている額縁の室外側の側面との間に生じる間隙内に配設するとともに、前記間隙を化粧アングル材をもって閉塞して、新規サッシ枠を外壁本体に取付けたことを特徴とするサッシ枠の取付構造とする。
【００３０】
このような構成にすれば、額縁を取外すことなく、新規サッシ枠の内鍔を外壁本体の開口部の内周面に固定するビスを、開口部の内方から容易にドライバーを使用して締付けることができるため、手数の低減と作業の効率向上により、工期の短縮化と費用の低減を図ることができる。
【発明の効果】
【００３１】
本発明によると、次のような効果を奏することができる。
すなわち、本発明は、従来のサッシ周りを解体して行うサッシ枠の交換方法と対比して、外装材、胴縁、透湿防水シート、額縁等を可及的に解体することなく、労力や手間を大幅に少なくして、工期の短縮化を図ることができるとともに、費用を低減することができる。さらに、外鍔を切断した既存サッシ枠を取外した後に、新規サッシ枠を取付けるために、窓としての開口面積が小さくなることもないサッシ枠の交換方法およびその取付構造を提供することができる。
【図面の簡単な説明】
【００３２】
【図１】サッシ枠を建物の外壁本体の開口部に取付けた場合の下枠部分の取付形態を示す端面図である。
【図２】既存サッシ枠を新規サッシ枠に交換する第一実施例の工程を示す図である。
【図３】既存サッシ枠を新規サッシ枠に交換する第二実施例の工程を示す図である。
【図４】既存サッシ枠を新規サッシ枠に交換する第三実施例の工程を示す図である。
【図５】既存サッシ枠を新規サッシ枠に交換する第四実施例の工程を示す図である。
【図６】サッシ枠を建物の外壁本体の開口部に取付けた場合の下枠部分の取付形態を示す端面図であり、図１に示すものとは異なる他の取付形態を示す。
【発明を実施するための形態】
【００３３】
以下、本発明の実施形態を、図面に基づいて説明する。一般に住宅や事務所等の建物の外壁本体の開口部には、通常、上下枠材、左右側枠材からなる方形のサッシ枠が取付けられ、サッシ枠内に、各種のいわゆる障子が装着されて、たとえば引違い窓、外開き窓、縦または横の辷り出し窓、ドレーキップ窓、嵌め殺し窓、台形出窓等の窓部が形成される。本発明のサッシ枠の交換方法およびその取付構造は、前記各種の窓部におけるサッシ枠に適用される。以下の実施例では、主として引違い窓用のサッシ枠を例にとり説明する。
【００３４】
図１は、サッシ枠を建物の外壁本体の開口部に取付けた場合の下枠部分の取付形態を示す端面図である。
【００３５】
一般にサッシ枠１は、枠本体２と、この枠本体２の外周面に付設されている外鍔３と、枠本体２の室内側Ａの側面の外周面近傍に付設されている内鍔４とよりなり、枠本体２の内周面には、引違い障子用の２本のレール２ａ、２ｂと室内側立上部２ｃと、室外側立上部２ｄとを備えている。
【００３６】
サッシ枠１は、外鍔３を外壁本体５の室外側Ｂの側面５ａに、内鍔４を外壁本体５の開口部の内周面５ｂに、それぞれビス６ａ、６ｂをもって固定することにより、外壁本体５に取付けられている。
【００３７】
外壁本体５は、通常は建物?体である外壁を称するが、たとえば図６に示すように、建物?体の室外側に断熱材５ｃを配設した所謂、外断熱工法を採用している場合には、この断熱材５ｃを含めて、本明細書においては外壁本体５と称する。すなわち、サッシ枠が取付けられる壁体を外壁本体５と指称する。
【００３８】
サッシ枠１を外壁本体５に取付けた後に、胴縁７を介して外装材８が設けられ、また必要に応じて、外壁本体５の室外側Ｂの側面に防水シート９を張設し、防水テープ１０をもって固定される。
【００３９】
外装材８の端部とサッシ枠１との間隙は、シーリング材１１によって閉塞される。
【００４０】
また、内鍔４を開口部の内周面５ｂにビス止めした後に、スペーサ１２を介して額縁１３が設けられ、内鍔４の被覆とともに開口部の室内側の内周面の外観が整えられる。
【００４１】
図２は、既存サッシ枠１を新規サッシ枠１４に交換する第一実施例の工程を示す図である。
【００４２】
既存サッシ枠１は、（ａ）に示す形態で外壁本体５に取付けられているが、まず（ｂ）に示すように、シーリング材１１の室外側から鋸やカッターなどの切断工具（図示省略、以下同じ）を矢印Ｘで示す方向にすすめ、外鍔３を切断する。
【００４３】
この切断に先立って、必要に応じて予めシーリング材１１を除去しておくと切断作業が容易である。
【００４４】
次いで外壁本体５の開口部の内方から切断工具を矢印Ｙで示す方向にすすめ、既存サッシ枠１を内鍔４を残して切断する。
本実施例では、室内側立上部２ｃとレール２ｂとの間を切断している。このように、「内鍔４を残して切断」とは、内鍔４とともに枠本体２の一部を一体として切断する場合も含む。
【００４５】
外鍔３と内鍔４の両者を切断した既存サッシ枠は、室外側に移動させることにより、容易に取外すことができる。
【００４６】
次いで、（ｃ）に示すように、室外側から切断工具を矢印Ｚで示す方向にすすめ、内鍔４を固定しているビス６ｂを切断し、内鍔４を取外す。これにより、既存サッシ枠１は、外鍔３を除いて、外壁本体５から取外されたこととなる。なお、内鍔４を固定しているビス６ｂの切断は、切断工具を矢印Ｘで示す方向にすすめ、外鍔３を切断する際に、切断工具を更にすすめて、ビス６ｂの切断も併せて行ってもよい。
【００４７】
次いで、（ｄ）に示すように、新規サッシ枠１４を、外装材８の端部を切除することなく、シーリング材１１を除去しただけで、室外側から外壁本体５の開口部に嵌め込むことができるようにするために、新規サッシ枠１４の外鍔１４ａの下部を、切断工具をもって矢印Ｐで示すように切断する。
【００４８】
次いで、（ｅ）に示すように、既存サッシ枠１の切断した外鍔３を外壁本体５の室外側の側面に残存させた状態で、外鍔１４ａの下部を切断した新規サッシ枠１４を、室外側から外壁本体５の開口部に嵌め込む。この嵌め込みにより、新規サッシ枠１４の外鍔１４ａは、既存サッシ枠１の切断されて残存する外鍔３に、室外側に当接した状態で配設される。新規サッシ枠１４の外鍔１４ａは、ビス１５ａをもって固定される。また新規サッシ枠１４の内鍔１４ｂは、取外した既存サッシ枠１の内鍔４が配設されていた、額縁１３と外壁本体５の開口部の内周面５ｂとの間の空間内に嵌挿される。
【００４９】
この場合、新規サッシ枠１４の外鍔１４aが、既存サッシ枠１の残存する外鍔３に室外側から当接した状態で配設されているため、新規サッシ枠１４の内鍔１４ｂを除く室内側の側面１４ｃと、額縁１３の室外側の側面１３ａとの間に間隙１６が生じる。
【００５０】
この間隙１６を利用して、新規サッシ枠１４の内鍔１４ｂを、ビス１５ｂをもって外壁本体５の開口部の内周面５ｂに固定するとともに、前記間隙１６を樹脂製や木製などの化粧アングル材１７をもって閉塞する。
【００５１】
また、（ｄ）に示すように、必要に応じて、新規サッシ枠１４の外鍔１４ａの室内側空間内に防水用シール材１８を取付けることにより、より良好な防水効果が得られる。
【００５２】
なお、既存サッシ枠１および新規サッシ枠１４の外壁本体５からの取外しや取付けは、通常、上下枠材と左右側枠材とが方形状に組立てられた状態で行われる。
本実施例に示すサッシ枠の交換は、外装材８、胴縁７、防水シート９、額縁１３等を全く取外すことなく実施することができるとともに、窓としての開口面積も小さくなることはない。
【００５３】
図３は、第二実施例の工程を示す図である。図３の（ａ）（ｂ）（ｃ）で示す工程は、図２の（ａ）（ｂ）（ｃ）で示す工程と同一であるので説明を省略する。
【００５４】
本実施例では、（ｆ）に示すように、（ｃ）の工程に続いて、新規サッシ枠１９の外鍔１９ａを切断することなく、新規サッシ枠１９を、室外側から外壁本体５の開口部に嵌め込むことができるようにするため、切断工具をもって矢印Ｑに示すように外装材８の端部を切除する。
【００５５】
次いで（ｇ）に示すように、新規サッシ枠１９を、実施例１の場合と同様に、既存サッシ枠１の外鍔３を残存させたままで、かつ額縁１３を取外すことなく、室外側から外壁本体５の開口部に嵌め込む。
【００５６】
次いで（ｈ）に示すように、外鍔１９ａおよび内鍔１９ｂをビス２０ａ、２０ｂでもって固定するとともに、化粧アングル材１７をもって新規サッシ枠１９と額縁１３間の間隙を閉塞する。
【００５７】
外鍔１９ａの室外側には必要に応じて防水シート２１を張設した後に、外装材８と新規サッシ枠１９との間隙を、外モール２２で閉塞する。なお、実施例１と同様に、必要に応じて、新規サッシ枠１９の外鍔１９ａの室内側空間内に防水用シール材１８を取付けることにより、より良好な防水効果が得られる。
本実施例に示すサッシ枠の交換方法は、外装材８の端部の切除と、外モール２２で閉塞することを除いて、第一実施例と同様な効果を奏する。
【００５８】
図４は、第三実施例の工程を示す図である。
図４の（ａ）（ｂ）（ｃ）で示す内容は、図２の（ａ）（ｂ）（ｃ）で示す内容と同一であるので説明を省略する。
【００５９】
本実施例では、（ｉ）に示すように、（ｃ）に続いて、新規サッシ枠２３の外鍔２３ａを切断することなく、新規サッシ枠２３を、室外側から外壁本体５の開口部に嵌め込むことができるようにするため、切断工具をもって矢印Ｒに示すように外装材８の端部を切除する。次いで同じく切断工具をもって矢印Ｓに示すように、既存サッシ枠１の切断された外鍔３を外壁本体５の室外側の側面５ａに固定しているビス６ａを切断し、外鍔３を取外す。
【００６０】
この外鍔３を取外すに先立って、外鍔３の室外側の側面を覆っている防水シート９や防水テープ１０を一時的に剥離するか、あるいは、外装材８の端部を切除する際に、同時に防水シート９、防水テープ１０を部分的に切除してもよい。
また、切断工具をもって矢印Ｔに示すように額縁１３の端部を切除する。
【００６１】
次いで、（ｊ）に示すように、新規サッシ枠２３を、室外側から外壁本体５の開口部に嵌め込み、外鍔２３ａ、内鍔２３ｂをそれぞれビス２４ａ、２４ｂをもって固定するとともに、（ｋ）に示すように、化粧アングル材１７をもって新規サッシ枠２３と額縁１３間の間隙を閉塞する。外鍔２３ａの室外側には必要に応じて防水シート２１を張設し、外装材８と新規サッシ枠２３との間隙を外モール２２で閉塞する。
【００６２】
本実施例に示すサッシ枠の交換方法は、外装材８と額縁１３の端部の切除と、外鍔３の取外しと、外モール２２で閉塞することを除いて、第一実施例と同様な効果を奏する。
【００６３】
図５は、第四実施例の工程を示す図である。
図５の（ａ）（ｂ）（ｃ）で示す内容は、図２の（ａ）（ｂ）（ｃ）で示す内容と同一であるので説明を省略する。
【００６４】
本実施例では、（ｌ）に示すように、（ｃ）に続いて、第三実施例における（ｉ）の場合と同様に、切断工具をもって矢印Ｕに示すように外装材８の端部の切除と、同じく切断工具をもって矢印Ｖに示すように、既存サッシ枠１の切断された外鍔３を固定しているビス６ａを切断し、外鍔３の取外しを行う。さらに額縁１３も取外す。
【００６５】
次いで、（ｍ）に示すように、新規サッシ枠２５を、室外側から外壁本体５の開口部に嵌め込み、外鍔２５ａ、内鍔２５ｂをそれぞれビス２６ａ、２６ｂをもって固定する。
【００６６】
外鍔２５ａの室外側には必要に応じて防水シート２７を張設し、外装材８と新規サッシ枠２５との間隙を外モール２８で閉塞する。また、額縁１３の取外しの際には、室内側のクロス５ｄを一部切断したり損傷する場合があるため、額縁１３の室内側の側面に化粧枠１３Ａを施すとよい。
【００６７】
本実施例に示すサッシ枠の交換方法は、外装材８の端部の切除と、額縁１３の取外しと、外鍔３の取外しと、外モール２８で閉塞することを除いて、第一実施例と同様な効果を奏する。
【００６８】
図６は、サッシ枠を建物の外壁本体の開口部に取付けた場合の下枠部分の取付形態を示す端面図であり、図１に示すものとは異なる他の取付形態を示す。すなわち、建物?体である外壁５ｅの室外側に断熱材５ｃを配設した所謂、外断熱工法を採用した形態であり、このような場合には、前記したように本明細書においては、この断熱材５ｃも含めて外壁本体５と称する。
【００６９】
図６においては、サッシ枠は嵌め殺し用サッシ枠２９が取付けられている場合を示す。
【００７０】
嵌め殺し用サッシ枠２９は見込み方向の寸法が小さいためもあり、外鍔２９ａのみならず、内鍔２９ｂも断熱材層の木枠５ｃ１にそれぞれビス３０ａ、３０ｂをもって固定されている。
【符号の説明】
【００７１】
１    サッシ枠（既存サッシ枠）
２    枠本体
２ａ、２ｂ  レール
２ｃ  室内側立上部
２ｄ  室外側立上部
３    外鍔
４    内鍔
５    外壁本体
５ａ  室外側の側面
５ｂ  内周面
５ｃ  断熱材
５ｃ１  木枠
５ｄ  クロス
５ｅ  外壁
６ａ、６ｂ  ビス
Ａ    室内側
Ｂ    室外側
７    胴縁
８    外装材
９    防水シート
１０    防水テープ
１１    シーリング材
１２    スペーサ
１３    額縁
１３ａ  室外側の側面
１３Ａ  化粧枠
１４    新規サッシ枠
１４ａ  外鍔
１４ｂ  内鍔
１４ｃ  室内側の側面
１５ａ、１５ｂ  ビス
１６    間隙
１７    化粧アングル材
１８    防水用シール材
１９    新規サッシ枠
１９ａ  外鍔
１９ｂ  内鍔
２０ａ、２０ｂ  ビス
２１    防水シート
２２    外モール
２３    新規サッシ枠
２３ａ  外鍔
２３ｂ  内鍔
２４ａ、２４ｂ  ビス
２５    新規サッシ枠
２５ａ  外鍔
２５ｂ  内鍔
２６ａ、２６ｂ  ビス
２７    防水シート
２８    外モール
２９    サッシ枠（嵌め殺し用サッシ枠）
２９ａ  外鍔
２９ｂ  内鍔
３０ａ、３０ｂ  ビス
【図１】
2013227797.tif 000003
【図２】
2013227797.tif 000004
【図３】
2013227797.tif 000005
【図４】
2013227797.tif 000006
【図５】
2013227797.tif 000007
【図６】
2013227797.tif 000008